(57)【要約】      （修正有）【課題】ホストシステムのサービスへの適応性を克服する方法を提供する。【解決手段】その環境に適応したヒューマン・マシーンインタフェース１１を有するホストシステム１０で、モバイル機器４はホストシステム１０と通信し、モバイル機器４によるサービス１の実施可能性を検出すると、このホストシステム１０にはサービス１を実施するためのプロキシ１２がダウンロードされ、サービス１の実施はヒューマン・マシーンインタフェース１１によってホストシステム１０に移動し、ホストシステム１０は、情報を再生する手段１５、ユーザのための制御手段１６、通信プロセッサ１４、サービス１を実施するプロキシソフトウェア１２を保存するためのメモリ１２’、プロキシソフトウェア１２を実施するためのプロセッサ１３を含む。【選択図】図１
2009003908.tif 000002
【特許請求の範囲】
【請求項１】
モバイル電子機器（４）外の環境で、少なくとも１つのサービス（１）を実施する方法であって、前記サービス（１）は、前記環境に適応するヒューマン・マシーンインタフェース（１１）を備えたホストシステム（１０）によって実施可能であり、
前記モバイル機器（４）は前記ホストシステム（１０）と通信し、前記ホストシステムは前記モバイル機器（４）による前記サービス（１）の実施可能性を検出し、前記ホストシステム（１０）には前記サービス（１）のオペレーティングプロキシ（１２）がダウンロードされ、前記サービス（１）の実施がヒューマン・マシーンインタフェース（１１）によってホストシステム（１０）に移動（１３０）される、方法。
【請求項２】
前記サービスが前記モバイル機器（４）のダイレクトサービス（９）である、請求項１記載の方法。
【請求項３】
前記サービス（１）が、オペレータ（１、２）によって提供され前記モバイル機器（４）によってのみ実施可能なサービスである、請求項１記載の方法。
【請求項４】
前記サービス（１、９）を実施するための前記プロキシ（１２）が、前記サービス（１）を実施するモバイル機器（４）からダウンロード（１４０、８１、８２）される、請求項１乃至３の１項に記載の方法。
【請求項５】
前記サービス（１）を実施するための前記プロキシがサーバ（３０）からダウンロードされる、請求項１乃至３の１項に記載の方法。
【請求項６】
前記サービス（１、９）を前記ホストシステム（１０）から実施するために、前記ホストシステム（１０）の前記ヒューマン・マシーンインタフェース（１１）上の情報表示特徴を定義したソフトウェアがダウンロード（１４０）される、請求項１乃至５の１項に記載の方法。
【請求項７】
請求項１乃至６記載の方法の実施のための、ヒューマン・マシーンインタフェース（１１）を有するホストシステム（１０）であって、
情報を再生する手段（１５）と、ユーザのための制御手段（１６）とを含み、
少なくとも１つの通信プロセッサ（１４）と、前記サービス（１、９）を実施するプロキシソフトウェア（１２）用の１つの格納メモリ（１２’）と、前記プロキシソフトウェア（１２）の実施のための１つのプロセッサ（１３）をさらに含む、システム。
【請求項８】
大容量メモリ（１９）、中央処理装置（１８）、グラフィックコントローラ（１５）、音声コマンド部材（１６）、キャリヤバスコントローラを含むパッケージの構成要素の少なくとも１つが提供される、請求項７記載のシステム。
【請求項９】
前記プロキシソフトウェア（１２）のダウンロード（８２）、保存（１２’）、実施のために提供されるメディアハブソフトウェア（１３）を含む、請求項７および８の１項に記載のシステム。
【請求項１０】
ヒューマン・マシーンインタフェース（７）を有し、サービス（１）を実施するための少なくとも１つのモバイル電子機器（４）と、
当該モバイル機器（４）外の環境にありヒューマン・マシーンインタフェース（１１）を有するホストシステム（１０）と、
前記ヒューマン・マシーンインタフェース（７）の実施を前記モバイル機器（４）から前記ホストシステム（１０）のヒューマン・マシーンインタフェース（１１）へと移動するために提供される手段と、を含む、サービスオペレーティングパッケージ（１）。
【請求項１１】
前記ホストシステム（１０）は、前記モバイル機器（４）の存在とサービス（１）の実施可能性を検出する、請求項１０記載のパッケージ。
【請求項１２】
プロキシ（１２）をダウンロードするためのサーバ（３０）を含む、請求項１０および１１の１項に記載のパッケージ。
【発明の詳細な説明】
【技術分野】
【０００１】
本発明は、ＣＥＤ（「家庭用電子機器」）とも称するモバイル電子機器もしくは設備、また固定コンピュータステーションもしくは固定局に関連する他の無線基地における、オペレータによって提供される遠隔サービスや常駐（「スタンドアロン」）サービスの両方に使用する、「マン／ヒューマン・マシーンインタフェース」を表すいわゆるＨＭＩまたはＭＭＩ／ＨＭＩに関する。
【背景技術】
【０００２】
ＣＥＤは、移動電話、携帯型コンピュータ（「ラップトップ」）、パーソナルアシスタント（または「パーソナルデジタルアシスタント」を表すＰＤＡ）、ＧＰＳエクスプローラ（「グローバルポジショニングシステム」）、ウォークマンもしくは他のＭＰ３オーディオプレーヤー（登録商標「ｉＰｏｄ」に属するものなど）、といったものである。
【０００３】
移動電話は、オペレータによって提供される種々のサービス、例えば、道路ナビゲーション、道路交通、旅行、天気予報、予約、修理、商業情報、株式取引情報などの放送情報といったサービスにアクセスできる。
【０００４】
固定局は、マルチメディアアプリケーションを含んだオフィスコンピュータ（ＰＣ、即ち「パーソナルコンピュータ」もしくは他のもの）、ホームオートメーション設備（マルチメディア、暖房もしくは空調、種々の戸締り動作など）を制御するように構成された（無線もしくは搬送電流による）ホームオートメーション基地、（有線もしくはＤＥＣＴ電話基地などの無線による）固定電話基地、自動車の車両に搭載された無線電話などの搭載型の電話である。
【０００５】
ＣＥＤはモバイル機器であるため、非常に小型でなければならず、マルチメディアアプリケーション、インターネット（ＷＡＰネットワーク）、または電子メールにも不十分なＩＨＭしか利用できない。即ち、スクリーンが小さく、入力インタフェースが不適当で、音質の悪い音響変換器で、ハウジングに取り付けられた機械的な付属品や機器の機能性の適応が悪い。
【０００６】
これとは対照的に、固定局の大きさには制限がない。環境に適応した人間工学的なＩＨＭを局に設けることができる。
【０００７】
ＣＥＤと固定局が市場に出回っていることと相まって、ローカル無線通信ネットワーク（ブルートゥース、Ｗｉｆｉ、ＵＳＢ無線など）または有線のネットワーク（「ユニバーサルシリアルバス」を表すＵＳＢ）によって互いに通信できるようになった。
【０００８】
一例として、現在のところ、ＧＳＭ（「グローバルシステムモバイル」）移動電話とＤＥＣＴ固定電話局との交換手段があり、ユーザは一方の加入申込書にサインするだけでよく、移動電話は家の外で動作可能であり、移動電話の所有者が家にいるときには移動電話の代わりに固定電話を使用できる。
【０００９】
同様に、独立型でもあり、運転手または同乗者の１人の移動電話と組み合わせて使用ができる電話装置が車内に設けられている自動車がある。
【００１０】
移動電話の所有者が車両の固定電話の近くにいる場合、この固定電話が移動電話を検出し、直接使用できる加入者の詳細（ＳＩＭカードの内容）を受信する。車内環境と車両の運転に適応した固定電話のＩＨＭを使用できるという利点がある。
【００１１】
しかし、移動電話のＧＳＭオペレータによって提供されるサービス（移動電話による通信、インターネットナビゲーション、旅行や天気予報の情報、マルチメディア放送など）は全て車内電話を通じて利用可能であるが、この車内電話自体はこういったサービスを利用できない。
【００１２】
言い換えると、ホスト装置、ここでは車両搭載電話のヒューマン・マシーンインタフェースは、単一のサービス、即ち電話サービスにしか使用できない。このインタフェースは、広範囲にわたる急増が知られている電話ネットワークサービスの一切の技術進化に適応できない。また、何らかの複雑且つ高価な適応手段なしには他のサービスに適応できない。
【００１３】
まとめると、上述の種類のホストインタフェース機器は非常に個別的且つ独自仕様で、サービスへの適応性に欠け、技術的な耐久性が非常に低いという不便な点がある。換言すると、こういったホストインタフェース機器は多目的ではなく、すぐに旧式になってしまう。
【発明の開示】
【発明が解決しようとする課題】
【００１４】
本願出願人は、ホストシステムのこういった適応性や耐久性のなさを克服しようと試みた。
【課題を解決するための手段】
【００１５】
そのために、本発明は最初に、モバイル電子機器外の環境で、少なくとも１つのサービスを実施する方法に関し、前記サービスは、この環境に適応したヒューマン・マシーンインタフェースを有するホストシステムによって実施可能であり、この方法では、モバイル機器は、モバイル機器によるサービスの実施可能性を検出するホストシステムと通信し、ホストシステムにサービスオペレーティングプロキシがダウンロードされ、サービスの実施がヒューマン・マシーンインタフェースによってホストシステムに移動する。
【００１６】
したがって、想定された環境に適応した使いやすいＩＨＭＨがプロキシを介してモバイル機器（ＣＥＤ）のインテリジェンスに関連付けられる。このインテリジェンスとは、リクエスト送信のためにＣＥＤのプロキシとして使用される近傍バッファソフトウェア処理手段である。
【００１７】
本発明は、種々の利用可能なハイテク機器やサービスにより良く且つより完璧に適応するように通常行うような、ユーザのシステムの処理能力またはインテリジェンス能力を増やすことに依存するのではなく、それどころか、システムから固有の処理機能を削除し、少なくとも１つのプロキシによって多目的のホストヒューマン・マシーンインタフェース（ＩＨＭＨ）にすることに依存する。
【００１８】
したがって、本発明は、ＩＨＭＨの使いやすさをＣＥＤの処理能力に適応させることを提案する。
【００１９】
本発明に係る方法の特定の実施形態では、サービスは、オペレータによって提供されモバイル機器によってのみ実施可能なサービス、例えば、ガイドサービスである。
【００２０】
本発明に係る方法の別の実施形態では、サービスはモバイル機器のダイレクトサービス、例えば、辞書サービスである（こういった場合、モバイル機器は孤立した「スタンドアロン」機器と称される）。
【００２１】
サービスオペレーティングプロキシは、サービスを実施するモバイル機器またはサーバからダウンロードされる。
【００２２】
サービスをホストシステムから実施するために、ホストシステムのヒューマン・マシーンインタフェースにおける情報表示特徴を定義するためのソフトウェアもダウンロードされるのがよい。
【００２３】
本発明はまた、情報再生手段とユーザのための制御手段とを含む、本発明の方法を実施するための、ヒューマン・マシーンインタフェースを有するホストシステムにも関し、このシステムは、少なくとも１つの通信プロセッサと、サービスオペレーティングプロキシソフトウェア用の格納メモリと、プロキシソフトウェアを実施するためのマイクロコントローラ／プロセッサも含む。
【００２４】
本発明のホストシステムの好適な実施形態では、大容量メモリ、中央処理装置（ＣＰＵ）、グラフィックコントローラ、音声制御部材（マイクロホン、スピーカー）、「キャリヤ」バスコントローラ（ＣＡＮ、ＭＯＳＴ）を含むパッケージの構成要素の少なくとも１つが提供される。
【００２５】
ホストシステムは、プロキシソフトウェアのダウンロード、保存、実施のために提供されるメディアハブソフトウェアを含むのが好ましい。
【００２６】
本発明は、最後に、ヒューマン・マシーンインタフェースを有し少なくとも１つのサービスを実施するモバイル電子機器と、ヒューマン・マシーンインタフェースを有しモバイル機器外の環境にある本発明のホストシステムと、機器のヒューマン・マシーンインタフェースの実施をホストシステムのヒューマン・マシーンインタフェースに移動させるように構成された手段とを含むサービス実行パッケージに関する。
【００２７】
モバイル機器の存在やあるサービスについてその実施可能性を検出するために、ホストシステムが提供されるのが好ましい。
【００２８】
特定の実施形態では、本発明のパッケージは、プロキシダウンロードサーバを含む。
【００２９】
本発明によって、車両の例では、モバイル機器には使用に関する何らかの人間工学を機械的に取り付ける必要はなく、適当なサイズの車両搭載のスクリーン、即ちホストシステムのスクリーンと車内に設けられたインタフェースを使用でき、これと同時に、特に高品質のスピーカーとコントロールボタンをハンドルに組み込むことができ、安全性が向上する。
【００３０】
さらに、同じ車両の例では、機器またはサービスオペレータと車両搭載計算機との間で、例えば、エンジンのテストデータを修理ステーションに送るためにもデータ交換を行うことができる。
【００３１】
本発明の他の特徴や利点は、本発明に係る、サービスオペレーティングホストシステムの方法と、このシステムとサービスを実施するモバイル電子機器のパッケージとについて以下に述べる説明を添付図面を参照して読み進めることで、明らかになるであろう。
【発明を実施するための最良の形態】
【００３２】
図１を参照すると、ブロック１で示される所定のサービスは、第１の実施形態によると、ウェブ３上のオペレーティングセンター２によって提供される。ＣＥＤモバイル電子機器４、ここではＧＳＭ移動電話は、自身のインターネットエクスプローラ５を通じてこのサービスにアクセスし、例えば、エクスプローラ５、サービス１の処理アプリケーション９またはダイレクトサービス９の処理アプリケーションによって従来通りにサービスを動作可能である。
【００３３】
サービス１は、例えば、インターネットにおける、予約、旅行、天気予報情報、自動車ナビゲーションなどのサービス、ナビゲーションサービス、電子メールサービスである。ただし、こういった羅列は包括的なものではない。
【００３４】
上述の実施形態に類似する別の実施形態は、サービス１がダイレクトサービス９、即ち機器４だけに存在するサービス、例えば、アプリケーション９に置き換えられている点だけが異なる。以下において、参照番号９はサービスと共にアプリケーションも表す。
【００３５】
アプリケーション９は、例えば、電子手帳、辞書、簿記アプリケーションなどである。
【００３６】
どんなインプリメンテーションであれ、携帯機器４のアプリケーション９は、機器４のユーザのために情報を形成し再生するように構成されたエディタとＩＨＭ７に接続している。このＩＨＭ７は、通常スクリーンとキーボード（参照番号なし）を備えている。
【００３７】
移動電話４は、エディタ６に接続するローカル無線ポート、ここではブルートゥース８を含み、この無線ポートは、この記述でさらに説明するように、自身やＩＨＭ７でデータを送受信するために設けられている。
【００３８】
さらに、ここでは自動車（図示せず）の車内には、車内に適応しこれに永久に固定されているＩＨＭ１１によって同じサービス１または９を実施するために、ホストシステム１０が提供されている。
【００３９】
車両の車内は一例として考えられたものに過ぎず、家も考えられる。
【００４０】
ホストシステム１０と電話４が上述のパッケージを形成する。
【００４１】
ここでは、システム１０は多目的のホストヒューマン・マシーンインタフェース（ＩＨＭＨ）である。電話４のリソース５、９、６は、ＣＥＤ４のコンピューティングユニット４０に配置されたソフトウェアである。
【００４２】
ＩＨＭＨ１０は、ＣＥＤ４から、または逆にブルートゥースプロセッサ１４があることによる（当業者には周知の）ポーリングによってブルートゥースの出力を感知する。初期フレームの交換によって、ＩＨＭＨ１０は、どのようなサービス１または９がＣＥＤ４によって実施可能であるかを知ることができる。
【００４３】
サービス１または９を実施するためには、電話４の所有者の車両の同乗者または運転手は電話４を使用して上述の不利益を被ってしまうか、または操作可能であるならば上述の利点を全て有するこのシステム、即ちＩＨＭＨ１０を使用する。
【００４４】
後者の場合、実際移動電話４は、まるで自身のＩＨＭ１０によって実施され、チェックされ、制御されているように、リソース５、９、６を通じてサービス１を同時に実施するが、こういった実施やチェック／制御が実行されるのは、ポート８とプロセッサ１４との間のブルートゥースリンクを介したＩＨＭＨ１０のＩＨＭ１１によるものである。電話４のＩＨＭは、ホストシステム１０に移動する。
【００４５】
こういったことは、アプリケーション９またはサービス１のプロキシ１２がＩＨＭＨ１０にあることによって可能となる。
【００４６】
当業者なら、プロキシソフトウェアモデルの動作原理について認識している。こういったソフトウェアは、プロキシ表示機能を有し、特定の環境、ここではＩＨＭ１１の環境に対して、所定のサービスについて、ＣＥＤ４の特徴から独立してエンコードされている。
【００４７】
プロセッサ１４は、電話４のポート８から出力されたブルートゥース信号を感知して受信し、プロキシ１２に送る。こういった信号は、以下に説明するように、例えば、ＲＳＳ（「リアリーシンプルシンジケーション」または「リッチサイトサマリー」または「ＲＤＦサイトサマリー」）に準拠したデータまたは同じ種類の他のデータのインタフェース１１に与えられる。
【００４８】
インターネットサイトの「ＲＳＳ」は、そのコンピューティングリソースの構造を表すサイトの要約である。アプリケーションの種類９の種々のアプリケーションから情報を収集できるスタンダードを形成し、ユーザが受信した情報をここではＩＨＭ１１にカスタマイズした形で表示または再生する。
【００４９】
ここでは、ＲＳＳデータは、情報表示特徴を定義するためのＲＳＳ読み取りソフトウェアを含む「メディアハブ」１３で受信される。
【００５０】
「ＲＳＳ」は、ニュースサイト、ウェブログ、ポッドキャストで主に使われている、ＸＭＬ技術（「拡張マークアップ言語」）に基づいたインターネット上のコンテンツシンジケーションプロトコルの仲間であることを想起されたい。ＲＳＳの動作手順は当業者によく知られており、電話４のモデム（図示せず）またはここではエディタ６に含まれるＲＳＳリーダ６１に対応するプロキシ１２によるものである。このＲＳＳリーダは、アプリケーションによっては電話４のアプリケーション９やプロキシ１２に含まれる２１に含まれてもよい。
【００５１】
通常、ハブは、ポートでバイナリデータ（ここではＲＳＳデータ）を取り込み、これを第１のＯＳＩ層（オープンシステムインターコネクション）で動作する幾つかのポートで再生し、送信するようにした重要な部材である。
【００５２】
こういったＲＳＳ交換技術を用いることで、幾つかの異なるサービス１や電話４の幾つかの異なるアプリケーション９のハブ１３やＩＨＭＨ１０による処理を、こういったアプリケーション９またはサービス１がＲＳＳプロトコルを使用するアプリケーションパッケージに属するならば、ユーザの要求に応じて実施可能であることが理解されるであろう。
【００５３】
ＲＳＳプロトコルと互換性のない他のアプリケーション９、例えば、電子メールまたはインターネットナビゲーションの処理については、ＩＨＭ１１と同じ機能を実行するには別のプロキシ１２、または以下で言及する別の手段がＩＨＭＨ１０で必要になり、これと共にＲＳＳリーダに類似するソフトウェア６１が電話４で必要になる。
【００５４】
ハブ１３は、通常のハブよりもかなり拡張した機能を持っている。ＩＨＭＨ１０の環境に適応した、サービス１のアプリケーション９のヒューマン・マシーンインタフェースにＲＳＳ特徴を集中させる前に、そのダウンロードを制御する。ハブ１３は、ＣＥＤ４またはオペレータのセンター２からダウンロード手段８２によってこういった特徴をＩＨＭＨ１０にダウンロードし、ＩＨＭ１１で再生する。
【００５５】
さらにハブ１３によって、要求されているサービス１に必要なプロキシ１２を選択し、もしあれば、必要なときにいつでも起動させることができる（なければ、以下に説明するように、ダウンロード手段を制御してダウンロードさせる）。
【００５６】
ハブ１３は、モバイル機器４の存在を感知するにはＳＰＰタイプのものが好ましい。また、ハブはブルートゥース出力も感知し、プロキシ１２も起動させる。
【００５７】
オプションで、例えば、電子メールの送信のためにハブ１３をプロキシ１２に置き換えてもよい。
【００５８】
最後に、ＩＨＭＨ１０は、プロキシ１２やハブ１３に必要な、ブルートゥース通信のＯＳＩ層（または「スタック」）２０を含む。
【００５９】
最後に、ＩＨＭ１１は、スクリーン１７に情報を再生しサービス１のチェックや制御を実行できるようにするためのコントロールキーボード１６（またはマイクロホンやスピーカーを含む音声制御手段）とグラフィックコントローラ１５を含む。オプションで、中央処理装置１８またはマイクロコントローラ１８やマスストレージ１９がパッケージの管理を行う。
【００６０】
上述の機能手段１２、１３、１５、１８、２０は全て、別個のプロセッサ（チップ）でプログラムされるのが好ましい。
【００６１】
第１の実施形態によると、各プロキシ１２はＩＨＭＨ１０に既にインストールされており、ハブ１３は、使用の際にプロキシをバイアスできるように初期化されている。プロキシ１２がプロセッサで実行される場合は、このプロセッサはＩＨＭＨ１０に組み込まれる。
【００６２】
第２の実施形態によると、プロキシ１２の位置１２’のみが提供され保存されている。サービス１を実施するのにプロキシ１２が必要になった場合には、サービスオペレータ１のセンター２に含まれるダウンロードサーバ３０からＣＥＤ４を介してＩＨＭＨ１０へとダウンロードされる。また、ダウンロードサーバ３０は独立していてもよく、ローカルネットワーク３１またはダイレクトコンピューティングリンク３１によって従来通り（ＵＳＢまたは他のもの）ＣＥＤ４に接続してもよい。
【００６３】
プロキシ１２をダウンロードするために、プロキシローディング機能４１と８１を設け、これらはそれぞれマイクロコントローラ４０と１８に配置される。ハブ１３に配置されたダウンロード手段８２も使用できる。
【００６４】
プロキシ１２は、機能８１または８２によって、この目的のためにＩＨＭＨ１０に最初から設けられている空のプロセッサ１２’へとダウンロードされる。これと相まって、ハブ１３は、プロキシ１２がダウンロードされたときにこれを起動させる論理リンクを備えるように、最初から設けられている。
【００６５】
この第２の実施形態によると、ＩＨＭＨ１０はプロキシ１２を一切含まず保存された場所１２’のみを含み、プロキシの使用の際に、ハブ１３がブルートゥースリンクを通じて電話４を感知し、ブルートゥースの初期フレームの交換においてプロキシ１２のダウンロードの必要性を検出すると、所定のまたは計算可能なアドレス保存位置１２’へのプロキシのダウンロード機能８１または８２を起動させ、プロキシの起動を実行できるようにこういったアドレスをダウンロードしたプロキシ１２の特徴と共に記憶する。
【００６６】
サービス１のオペレータセンター２、電話４、ＩＨＭＨホストシステム１０からなる本発明のシステムのグローバルな実施を、図２を参照して説明する。
【００６７】
電話４を持っているユーザがＩＨＭＨ１０のブルートゥースエリアにいる場合、ステップ１００で、プロキシ１２またはハブ１３は、自発的な起動またはポーリングもしくは定期的なポーリングのいずれかによって、電話４の存在を感知する。
【００６８】
ステップ１１０では、機器４と１０が従来の初期フレーム交換（例えば、ＳＰＰタイプ）によってブルートゥース「ペアリング」動作を実行する。
【００６９】
初期フレームの交換において、ステップ１２０では、ハブ１３が利用できるサービス１、例えば、上述のサービスの１つを電話が提示する。こういった動作は双方向で、上で見てきたようにすぐにプロキシ１２のダウンロードが生成される。
【００７０】
したがって、ユーザには、ステップ１３０において、自身の電話４とそのインタフェース７を使用するかまたはＩＨＭＨ１０とそのインタフェース１１を使用するかの選択権がある。
【００７１】
ユーザが後者の解決策を選んだ場合には、ユーザはインタフェース１１のコマンドを使用すればよい。次いでユーザのリクエストによってステップ１４０が起動し、サービス１の実施をヒューマン・マシーンインタフェース１１によってホストシステム１０に移動させる。
【００７２】
これを実行するためには、ハブ１３は優良なプロキシ１２とこれに応じて優良なアプリケーション９を選択し、ＩＨＭＨ１０と、ヒューマン・マシーンインタフェース上の情報表示特徴を定義するＲＳＳソフトウェアを含むＣＥＤ４とのカスタマ／サーバ型の接続を可能にする。
【００７３】
より正確に言うと、ハブ１３はＩＨＭ１１で提示されたリクエストに対応するプロキシ１２を選択し、プロキシ１２はこのリクエストをエディタ６に送信し、このエディタはプロキシ１２に対応するアプリケーション９を認識し、これをプロキシに送信する。
【００７４】
この時点でプロキシ１２が依然としてなければ、ハブ１３は、制御をＣＥＤに渡す前に、機能８２（または機能８１によるマイクロコントローラ１８）によって、ＣＥＤ４から保存されている位置１２へのプロキシそしてプロキシが必要とするＲＳＳデータ（または同様のもの）のダウンロードを前もって開始する。
【００７５】
そしてアプリケーション９は、ステップ１５０において、リクエストに応じてサービス１を処理し、ステップ１６０において、サービス１の結果またはリクエストを同じブルートゥースチャンネルおよび同じプロキシ１２によってＩＨＭ１１に再度送信する。
【００７６】
ステップ１７０では、ＩＨＭ１１はサービス１の結果またはリクエストである状況を表示または出力し、次のステップ１８０では、新しいユーザリクエストの表示をバイアスし、新しいステップ１５０を実行させることができる。
【００７７】
サービス１をアプリケーション９を通じてモバイル電子機器４で処理するのと同時に、この利益を享受するために、ＩＨＭＨ１０のヒューマン・マシーンインタフェース１１をプロキシ１２によって実施させるということが分かるであろう。
【００７８】
これとは反対に、ユーザが自身の電話４を選択した場合には、インタフェース７の制御手段の使用で十分であるという条件にすべきである。次いで、電話４がＩＨＭＨ１０と対称的な構造を有するならば、ステップ２４０で、上述のものと逆のカスタマ／サーバ関係を起動させる。その後、上記のステップ１５０〜１８０と対称的な後続のステップ２５０〜２８０を実行する。
【００７９】
したがって、既述の例を再度挙げると、車両のコンピューティングバスに接続する双方向ハブを使用して、車両搭載の計算機と修理サービスとの間でＣＥＤ４を介してデータ交換を起動させることができる。
【００８０】
ＢＩＴＥ統合試験装置（ビルトイン装置）をマイクロコントローラ１８を通じてＩＨＭＨ１０で処理しているのと同時に、テスト結果を含むメッセージをリアルタイムで修理サービスに送信するために、ＣＥＤ４のヒューマン・マシーンインタフェース７とエクスプローラ５を電子メール送信アプリケーション９によって実施されることが分かるであろう。
【図面の簡単な説明】
【００８１】
【図１】サービスオペレーティングホストシステムとモバイル電子機器のパッケージの機能ブロック図である。
【図２】本発明の方法のステップを示すフローチャートである。
【図１】
2009003908.tif 000003
【図２】
2009003908.tif 000004
【外国語明細書】
2009003908000001.pdf
2009003908000002.pdf
2009003908000003.pdf
2009003908000004.pdf